(57)【要約】  ペイントローラおよびペイントローラシールドアセンブリは、ペイントを塗布するためのローラを備え、ペイント塗布面は、ローラの端部に位置するリムで終端する。ローラの端部に接続されたペイントローラシールドは、実質的に丸く傾斜した周縁部と、プレートの欠落部分として構成された湾曲した切欠部とを有する平坦な表面を有するプレートを含む。面取りされた周縁部は、傾斜しており、平坦な表面から外向きに傾斜している。プレートの平面図において、切り欠きは、ローラの塗料塗布面の一部を含むリムの一部を露出させ  、プレートおよび傾斜した周縁部は、切り欠きによって露出していないローラのリムの残りの部分を覆う。【選択図】図１３
2018509294.tif 000002
【特許請求の範囲】
【請求項１】
ペイントローラおよび塗料ローラシールドアセンブリであって、
前記ローラの端部に位置するリムで終わる塗料塗布面を有する塗料を塗布するためのローラと、
記ローラの端部に接続されたペイントローラシールドとを備え、
実質的に丸く面取りされた周縁部と、プレートの欠落部分として構成された湾曲した切欠き部とを有する平坦面を有するプレートと、
傾斜した周縁部は、平坦面から外側に傾斜して、
前記プレートの平面図において、前記切り欠きは、前記ローラの前記塗料塗布面の一部を含む前記リムの一部を露出させ、前記プレート及び前記斜めの周縁部は、前記ローラの前記リムの残りの部分を覆い、切り取る。
【請求項２】
前記斜めの周縁部は、０°と９０°の間の角度をなしていることを特徴とする請求項１に記載のペイントローラとペイントローラシールド組立体。
【請求項３】
前記湾曲した縁部が平らにされていない、請求項１に記載のペイントローラ及びペイントローラシールド組立体。
【請求項４】
前記シールドは、０．７５インチの内径を有する４インチのローラを収容するために、少なくとも１．５インチの直径で構成されていることを特徴とする請求項１に記載のペイントローラおよびペイントローラシールドアセンブリ。
【請求項５】
前記ローラの端部に嵌合するように構成され、前記ローラが回転するときに前記ローラに対して回転可能に固定されたままである中空の円筒形チューブを含む、請求項１に記載のペイントローラおよびペイントローラシールドアセンブリ。
【請求項６】
前記湾曲した切欠きは、前記周縁部の半径曲率よりも大きい曲率半径を有する縁部を有する、請求項１に記載のペイントローラ及びペイントローラシールド組立体。
【請求項７】
ペイントローラおよび塗料ローラシールドアセンブリであって、
前記ローラの端部に位置するリムで終わる塗料塗布面を有する塗料を塗布するためのローラと、
前記ローラの端部に接続されたペイントローラシールドとを備え、
実質的に丸く面取りされた周縁部を有する平坦な表面を有するプレートと、プレートの欠落部分によって画定される切り欠きと、
ローラの端部に嵌合するように構成され、ローラが回転するときにローラに対して回転可能に固定されたままであり、塗料を塗布する中空円筒形の管と、
前記プレートの平面図において、前記切り欠きは、前記ローラの塗料塗布面の一部を含む前記リムの一部を露出させ、前記プレートおよび前記斜めの周縁部は、前記ローラの前記リムの残りの部分を覆い、切り取る。
【請求項８】
前記切欠きは、割線によって画定される平坦部分を有する、請求項７に記載のペイントローラおよび塗料ローラシールドアセンブリ。
【請求項９】
前記切り欠きは、湾曲した縁部を有する、請求項７に記載のペイントローラ及びペイントローラシールドアセンブリ。
【請求項１０】
前記周縁部は、平坦ではない、請求項７に記載のペイントローラ及びペイントローラシールド組立体。
【請求項１１】
前記シールドは、０．７５インチの内径を有する４インチのローラを収容するために、少なくとも１．５インチの直径で構成されている、請求項７に記載のペイントローラおよびペイントローラシールドアセンブリ。
【請求項１２】
前記傾斜した周縁部は、５°〜８５°の角度をなし、前記平面から外側に傾斜していることを特徴とする請求項８に記載のペイントローラとペイントローラシールド組立体。
【請求項１３】
前記湾曲した切欠きは、前記周縁部の半径曲率よりも大きい曲率半径を有する縁部を有する、請求項９に記載のペイントローラ及びペイントローラシールド組立体。
【請求項１４】
ペイントローラシールドであって、
実質的に丸く面取りされた周縁部と、プレートの欠落部分として構成された湾曲した切欠き部とを有する平坦面を有するプレートと、
傾斜した周縁部は、平坦面から外側に傾斜して傾斜している。
前記プレートの平面図において、前記シールドに接続されたとき、前記切り欠きは、ローラの塗料塗布面のリムの一部を露出させ、前記プレートおよび前記斜めの周縁部は、前記リムの残りの部分を覆い、ローラが切欠きによって露出されない。
【請求項１５】
前記湾曲した切欠きは、前記周縁部の半径曲率よりも大きい曲率半径を有する縁部を有する、請求項１４に記載のペイントローラシールド。
【発明の詳細な説明】
【技術分野】
【０００１】
＜関連アプリケーションへの相互参照＞
本出願は、２０１５年２月６日に出願された米国特許出願第１４／６１６，６４０号の優先権を主張し、その全体が参照により本明細書に組み込まれる。
【０００２】
本発明は、そのいくつかの実施形態において、大規模なプロジェクトを塗装する際の精密さのための塗料アプリケータ、特にローラおよびシールドに関する。
【背景技術】
【０００３】
塗装部屋または壁には、塗装を意図していない区域を保護することがしばしば必要となる。伝統的に、これは遅いが精密な絵画、タールで区域を覆うこと、画家のテープを使用して行われてきました。これらのすべてには、プロジェクトに費やす時間の増加、保護の不十分、接着剤による損傷などの問題があります。いくつかの装置は、ペイント領域と塗装されていない領域との間に隙間を作り出す方法を利用するが、この隙間は、後でもっと正確な手段で隙間を埋める必要または極度の注意を必要とするサイズである。例えば、天井の近くの壁のように、ペイント中にユーザ速度、適切な保護、および精度を可能にする改良されたペイントアプリケータが必要とされる。
【発明の概要】
【０００４】
クラウンモールディングのような壁と天井の近くの装飾構造との間の接合部の近くに壁を塗装するための改良された装置が必要とされている。
【０００５】
本発明は、迅速かつ精密な塗装が可能な塗料ローラ用シールドに関する。
【０００６】
本発明の一実施形態は、異なるタイプの既存の塗料ローラに取り付けられ得るシールドを含む。本発明の別の実施形態は、フレームに取り付けられたハンドルを有し、このハンドルがシールドおよびローラに取り付けられる。ハンドルは簡単なグリップを可能にします。フレームには首が含まれています。この首には、一般的に壁のような作業の種類や、高い天井のための長い首など、別の構成があります。
【０００７】
１つの構成では、ネックはハンドルが「ｓ」の下側脚部から離れて延び、シールドが上側脚部から延在する「ｓ」形状を形成する。フレームはまた、ローラーカバーが適用されるローラを含む。ローラーカバーは壁に塗料を塗布する部分です。一実施形態では、ローラ自体がフレームに接続され、それがアクセルとして取り付けられているフレームの脚部を使用して同心円状に動く。あるいは、ローラカバーが取り付けられているフレームの脚の周りを同心回転する装置があってもよい。この実施形態では、ローラは３／４インチの外径を有し、ローラカバーは３／４インチの内径および４インチの長さを有する。フレームおよびシールドは、様々なローラカバーを収容するように設計することができる。
【０００８】
シールドは、ステムとプレートを備えています。シールドは、平らなプレート部分が天井などの面と面一になるように設計されている。天井のようなこの表面は、壁などの塗装しようとする表面に対してほぼ垂直である。任意に円筒形に成形されたステムは、シールドをフレームに取り付けることを可能にする。一実施形態では、ステムが中空であり、開いている１つのベースを有することによって、これが達成される。第２の基部は、プレートに取り付けられている。一実施形態では、プレートは、実質的に平面であり、円形であり、一方が縁を扁平にしている。この実施形態の直径は１  １／２インチである。シールドの大きさは、ローラカバーの直径に基づいて、ローラカバーのすべての縁がシールドの平らな部分を除いてシールドによって塞がれる。このプレートは、ローラカバーが、天井のように、塗装を意図していない領域のごく近くに来ることを可能にする幅を有する。この実施形態では、天井から４５度の角度（または塗装されていない他の面）で傾斜した傾斜した１／８インチの縁を有する１／６４インチの厚さを有する。シールドの平らな端には  、割線を通るように切断された  角のない部分があります。シールドは、平らな部分が塗装されることを意図した壁に押し付けられ、ユーザが望む任意の角度に配置することができるように設計されている。ローラとローラーカバーがフレームによって形成されたアクスルの周りを回転すると、シールドは回転しないが、フレームに固定されたままになる。
【０００９】
この実施形態では、シールドはポリプロピレン＃５で作られているが、他の材料またはプラスチックで作られていてもよい。
【００１０】
本発明の別の実施形態では、傾斜したエッジは、角度および長さに関して異なる比率を有することができる。
【００１１】
別の実施形態では、シールドの直径は、１／２インチとは異なることがある。この直径は、適切な量の材料を使用するために選択された。内径３／４インチのローラカバー用の  シールド  。シールドの直径、シールドの平坦部分を形成する割線の位置、およびローラカバーのサイズは、シールドの直径がローラカバーの外径よりも大きいが、ローラカバーが平坦部を越えて延びることを可能にする。他の実施形態では、シールドは概して円形ではないことが可能である。他の形状を用いてもよい。しかし、ローラーカバーを越えて延びておらず、意図した表面に塗料を塗布することができる平坦な縁が１つなければならない。
【００１２】
別の実施形態では、シールドのステムは、フレームの異なる形状の終端を構成するように変更することができる。
【００１３】
別の実施形態では、フレームは、「ｓ」の下脚に対して垂直に延びるハンドルを有する直線形状または「ｓ」形状などの異なる形態で構成されてもよい。
【００１４】
本発明は、周囲に沿って少なくとも１つの平坦な縁部を有する傾斜した周辺部と、ペイントローラ装置に取り付けるように構成された非平面的な表面とを有するように構成された平らな表面を有するプレートを含むペイントローラシールドに関する。
【００１５】
ペイントローラシールドは、ばらつきがあります。一変形形態では、プレートは実質的に丸く、１つの平坦な縁部は塗料が特定の１つの表面に塗布されるように構成されている。一変形例では、塗料ローラ装置への取り付けは、塗料ローラ装置の端部に嵌合するように構成された中空円筒管であり、塗料を塗布するローラーカバーに対して固定されたままである。
【００１６】
変形例の面取りされた縁部は、５°〜８５°の角度をなし、平面から外方に傾斜している。面取りされたエッジに対する別の変形では、約１／８インチの長さである。面取りされた縁部のさらに別の変形例では、平坦な縁部は平坦ではないままである。さらに、プレートの平坦なエッジの１つの変形形態では、実質的に円形のプレートエッジが、割線によって画定される円の欠落部分として構成されるように構成される。
【００１７】
シールドの変形形態では、内径０．７５インチの４インチローラカバーを収容するために少なくとも１．５インチの直径で構成することができるが、ローラカバーのサイズに応じて同様の比率で構成することもできる。
【００１８】
別の変形形態では、ペイントローラおよびペイントローラシールドアセンブリは、ペイントを塗布するためのローラを含み、ペイント塗布面は、ローラの端部に位置するリムで終端する。ペイントローラシールドは、ローラの端部に接続され、実質的に丸く傾斜した周縁部と、プレートの欠落部分として構成された湾曲した切欠き部とを有する平坦な表面を有するプレートを備える。面取りされた周縁部は、傾斜しており、平坦な表面から外向きに傾斜している。プレートの平面図において、切り欠きは、ローラの塗料塗布面の一部を含むリムの一部を露出させ、プレートおよび傾斜した周縁部は、切り欠きによって露出していないローラのリムの残りの部分を覆う。
【００１９】
任意選択的に、面取りされた周縁部は、０°〜９０°の角度をなしている。
【００２０】
任意選択的に、湾曲した縁は平らにされていない。
【００２１】
任意選択的に、湾曲した切抜き部は、周縁部の半径曲率よりも大きい曲率半径を有する縁部を有する。
【００２２】
さらなる変形例では、ペイントローラおよびペイントローラシールドアセンブリは、ペイントを塗布するためのローラを含み、ペイント塗布面は、ローラの端部に位置するリムで終端する。ローラの端部に接続されたペイントローラーシールドは、実質的に丸く傾斜した周縁部を有する平坦な表面を有するプレートと、プレートの欠落部分によって画定される切欠部とを含む。中空円筒形の管は、ローラの端部に嵌合するように構成され、ローラが回転するときにローラに対して回転可能に固定されたままであり、塗料を塗布する。プレートの平面図において、切り欠きは、ローラの塗料塗布面の一部を含むリムの一部を露出させ、プレートおよび傾斜した周縁部は、切り欠きによって露出していないローラのリムの残りの部分を覆う。
【００２３】
選択的に、切り欠きは、割線によって画定される平坦な部分を有する。
【００２４】
必要に応じて、切り欠きは湾曲した縁を有する。
【００２５】
本発明の別の変形例では、ペイントローラシールドは、実質的に丸く傾斜した周縁部と、プレートの欠落部分として構成された湾曲した切欠部とを有する平面を有するプレートを含む。面取りされた周縁部は、傾斜しており、平坦な表面から外向きに傾斜している。前記プレートの平面図において、前記シールドに接続されたとき、前記切り欠きは、ローラのペイント塗布面のリムの一部を露出させ、前記プレートおよび前記ベベル周縁は前記ローラのリムの残りの部分を覆うカットアウトによって露出されない。
【００２６】
任意選択的に、湾曲した切抜き部は、周縁部の半径曲率よりも大きい曲率半径を有する縁部を有する。
【００２７】
本発明の他の特徴および態様は、本発明の実施形態による特徴を例として示す添付の図面と併せて、以下の詳細な説明から明らかになるであろう。概要は、添付の特許請求の範囲によってのみ定義される本発明の範囲を限定するものではない。
【図面の簡単な説明】
【００２８】
本発明は、１つまたは複数の様々な実施形態に従って、以下の図を参照して詳細に説明される。これらの図面は、例示のみを目的として提供されており、本発明の典型的または例示的な実施形態を単に示しているに過ぎない。これらの図面は、本発明の読者の理解を容易にするために提供されており、本発明の範囲、範囲または適用可能性の限定とみなされるべきではない。説明を分かりやすくするために、これらの図面は必ずしも一定の縮尺で作られていないことに留意されたい。
【００２９】
本明細書に含まれるいくつかの図は、異なる視角からの本発明の様々な実施形態を示す。付随する説明文は、「頂部」、「底部」または「側面」のビューを参照することができるが、そのような参照は単に説明的なものであり、明示的に述べられていない限りさもないと。
【００３０】
【図１】シールドの２つの異なる斜視図を示す。
【図２】シールドの２つの異なる斜視図を示す。
【図３】シールドの上面図を示す。
【図４】シールドを分離した状態のシールド、フレーム、およびローラカバーを示しています。
【図５】シールド、フレーム、およびローラカバーを一緒に示す図である。
【図６】フレーム、ローラ、およびハンドルを示しています。
【図７】シールドの代替構成を示している。
【図８】湾曲した切欠きを有するペイントローラシールドの斜視図である。
【図９】湾曲した切欠きを有するペイントローラシールドの側面図である。
【図１０】湾曲した切欠きを有するペイントローラシールドの平面図である。
【図１１】湾曲した切欠きを備えたペイントローラシールドの背面図である。
【図１２】塗料塗布面の一部が湾曲した切欠きによって露出され、残りの塗料塗布面がローラシールドによって覆われている、塗料ローラに接続された湾曲した切抜き部を有する塗料ローラシールドの平面図である。
【図１３】塗料塗布面の一部が湾曲した切欠きによって露出され、残りの塗料塗布面がローラシールドによって覆われている、塗料ローラに接続された湾曲した切抜き部を有する塗料ローラシールドの斜視図である。
【発明を実施するための形態】
【００３１】
これらの図は網羅的なものではなく、開示された正確な形態に本発明を限定するものではない。本発明は、  修正および改変  によって実施することができ、本発明  は特許請求の範囲およびその均等物によってのみ限定されることを理解されたい。
【００３２】
時折、本発明は、ここでは例示的な環境に関して説明される。これらの環境に関する説明は、本発明の様々な特徴および実施形態が例示的なアプリケーションの文脈で描写されることを可能にするために提供される。この説明を読めば、本発明が異なる代替環境においてどのように実施され得るかは、当業者には明らかになるであろう。
【００３３】
他に定義されない限り、本明細書で使用される全ての技術用語および科学用語は、本発明が属する技術分野の当業者によって一般的に理解されるのと同じ意味を有する。本明細書で言及した全ての特許、出願、公開出願および他の刊行物は、その全体が参照により組み込まれる。このセクションに記載されている定義が、参照により本明細書に組み込まれる出願、公開出願および他の刊行物に記載されている定義に反するか、そうでなければ矛盾する場合、本明細書に記載される定義は、参照。
【００３４】
概して、本発明は、シールド１００を含むペイントローラアセンブリを含む。
【００３５】
この文書では、次の参照番号が使用されています。
【００３６】
１００  盾
【００３７】
１１０  茎
【００３８】
１１２  中空内部
【００３９】
１２０  板
【００４０】
１２２  面取りされた縁
【００４１】
１２４  平らな部分
【００４２】
１２４ａ、１２４ｂを割線を構成する点
【００４３】
４００  ローラーカバー
【００４４】
４１０  フレーム
【００４５】
４１２  フレーム末端
【００４６】
６００  ハンドル
【００４７】
６１０  ローラ
【００４８】
８００  ペイントローラシールド
【００４９】
８１０  面取りされた周縁部
【００５０】
８２０  曲線カットアウト
【００５１】
本発明は、シールド１００を含むペイントローラアセンブリに関する。一実施形態では、図１および図２は、シールド１００の２つの異なる斜視図を示す。この実施形態では、シールド１００は、ステム１１０およびプレート１２０を有する。ステム１１０は、概ね円筒形であり、一方の側で外部に通じる中空の内部１１２を有する。ステム１１０は、他方の側でプレート１２０の中央に接続されている。プレート１２０は、概ね平らで丸い。プレート１２０は、プレートから下方に延びる斜めの縁部１２２を有する。この実施形態では、斜めの縁部１２２は４５度の角度であるが、５度から８５度の範囲であり得る。この実施形態では、傾斜した縁部１２２は、１／８インチの長さである。
【００５２】
プレート１２０および面取りされた縁部は、平坦な部分１２４
【００５３】
図３は、シールド１００の上面図を示す。平坦部１２４は、切断線１２４ａ、１２４ｂにより切断されたように形成されている。これは、平らな部分１２４自体が面取りされた縁部１２２を有さないが、プレート１２０が垂直な天井に当接している間に、壁に面するように置くことができることを意味する。
【００５４】
図４は、シールド１００、フレーム４１０、およびローラカバー４００をシールド１２０と共に示す。中空内部１１２は、この図で見て取れ、この時点でフレーム終端４１２に取り付けられている。シールド１００は、この終端４１２の周りを回転しない。この実施形態では、図５に見られるように取り外し可能に取り付けられたままである。別の実施形態では、シールド１００は、終端４１２に永久的に取り付けられたままであり得る。図５はさらに、この実施形態では１／２インチであるシールド１００の直径がローラカバー４００の縁部を越えて延びるように構成されていることを示している。例外として、平らな部分１２４があり、これはローラカバー４００が１２４ａから１２４ｂの割線によってそれを越えて延びるように設計されている。
【００５５】
図６は、フレーム４１０、ローラ６１０、およびハンドル６００を示す。これは、ローラカバー４００とシールド１００が取り付けられた構造である。ローラ６１０は、ローラカバー  ４００が配置される場所である。この実施形態では、ローラ６１０は３／４インチの外径を有し、ローラカバー４００は３／４インチの内径および４インチの長さを有する。
【００５６】
図７は、シールド１００の代替構成を示している。この特定の別の構成では、シールド１００は、三つの縁部に沿って傾斜した縁部１２２を含み、傾斜した縁部１２２がない平坦部１２４を残している正方形の設計である。１２４ａから１２４ｂまでの距離は、少なくともローラカバー４００の外径と同じ長さである。
【００５７】
別の実施形態では、ローラおよびローラカバーは４インチの長さとは異なることがある。最も一般的に使用される長さは４〜６インチです。
【００５８】
別の実施形態では、図８−１３のペイントローラおよびペイントローラシールドアセンブリは、ペイントを塗布するローラを備え、ペイント塗布面は、ローラの端部に位置するリムで終端する。ペイントローラシールド８００は、ローラの端部に接続され、実質的に丸い傾斜した周縁部８１０と、プレートの欠落部分として構成された湾曲した切欠き８２０とを有する平坦な表面を有するプレート１２０を備える。傾斜した周縁部８１０は、傾斜しており、平坦な表面１２０から外向きに傾斜している。プレートの平面図において、例えば、図１２及び図１３に示すように、切り欠き８２０は、ローラの塗料塗布面の一部を含むリム４００の一部を露出させ、プレート及び面取りされた周縁部は、切り欠きによって露出していないローラのリムの残りの部分を覆う。
【００５９】
別の実施形態では、図８および９は、シールド８００の２つの異なる斜視図を示す。この実施形態では、シールド８００は、ステム１１０およびプレート１２０を有することができる。ステム１１０は、概ね円筒形であり、一方の側で外部に通じる中空の内部１１２を有する。ステム１１０は、他方の側でプレート１２０の中央に接続されている。プレート１２０は、概ね平らで丸い。プレート１２０は、プレートから下方に延びる斜めのエッジ８１０を有する。一例では、傾斜したエッジ８１０は４５度の角度であるが、０度から９０度の範囲であってもよい。
【００６０】
一実施形態では、湾曲した切抜き８２０によって画定される角度は１２９度である。必要に応じて、１１９度から１３９度の範囲で変化させることができる。任意選択的に、傾斜した縁部は、半径方向に０．１インチから１．０インチの長さに近くてもよい。長さおよびサイズは、特定のローラに適合するようにスケーリングすることができる。
【００６１】
一実施形態では、湾曲した切欠き８２０の縁部は、傾斜した周縁部８１０の曲率半径よりも大きい曲率半径を有する。例えば、湾曲した切欠き８２０の周縁部は１．６５７インチの曲率半径を有し、傾斜周縁部８１０の周縁部は０．８３インチである。湾曲した切り抜きの円弧の長さは、湾曲した切り抜きの湾曲の半径の２倍の（カットアウト／  ３６０によって制限される角度）倍として計算することができる。
【図１】
2018509294.tif 000003
【図２】
2018509294.tif 000004
【図３】
2018509294.tif 000005
【図４】
2018509294.tif 000006
【図５】
2018509294.tif 000007
【図６】
2018509294.tif 000008
【図７】
2018509294.tif 000009
【図８】
2018509294.tif 000010
【図９】
2018509294.tif 000011
【図１０】
2018509294.tif 000012
【図１１】
2018509294.tif 000013
【図１２】
2018509294.tif 000014
【図１３】
2018509294.tif 000015
【国際調査報告】
2018509294.tif 000016
2018509294.tif 000017